(57)【要約】  無線通信装置(12)は、装置のユーザ、第１の遠隔話者および、第２の遠隔話者との間の会議通話のためのハブである。無線通信装置(12)は、第１の遠隔話者と第１のコネクション上で通信し、同時にアクティブな第２のコネクション上で第２の遠隔話者と通信する。無線通信装置(12)における回路(60)は、第１および第２のコネクション上で受信された音声データを、音声データが複数のパーティ間で共有できるようにトランスコードする。
2009535894.tif 000002
【特許請求の範囲】
【請求項１】
無線通信装置(12)で会議通話を確立する方法であって、
デュアルトラスファモードで動作する無線通信装置(12)と第１および第２の遠隔話者(14,16,18)との間で会議通話を確立するステップであり、前記無線通信装置(12)は前記第１の遠隔話者と回線交換型コネクション上で通信すると共に、前記第２の話者とパケット交換型コネクション上で通信するステップと、
前記無線通信装置(12)と前記第１および第２の遠隔話者との間でデータを共有するステップとを有することを特徴とする方法。
【請求項２】
前記無線通信装置(12)と前記第１および第２の遠隔話者との間でデータを共有するステップが、
前記回線交換型コネクション上で前記無線通信装置(12)が受信した音声データをパケット化音声データにトランスコードするステップと、
前記パケット化音声データを前記パケット交換型コネクション上で前記第２の遠隔話者へ送信するステップとを有することを特徴とする請求項１記載の方法。
【請求項３】
前記回線交換型コネクション上で前記無線通信装置(12)が受信した音声データをパケット化音声データにトランスコードするステップが、
前記回線交換型コネクション上で受信した前記音声データを復号化するステップと、
前記復号化された音声データを、前記無線通信装置のユーザに聞こえるように提供されるアナログ信号に変換するステップと、
前記アナログ信号をサンプリングするステップと、
前記サンプルされたアナログ信号を再符号化して前記パケット化音声データを生成するステップとを有することを特徴とする請求項２記載の方法。
【請求項４】
前記無線通信装置(12)と前記第１および第２の遠隔話者との間でデータを共有するステップが、
前記パケット交換型コネクション上で前記無線通信装置(12)が受信したパケット化音声データを音声データにトランスコードするステップと、
前記音声データを前記回線交換型コネクション上で前記第１の遠隔話者へ送信するステップとを有することを特徴とする請求項１記載の方法。
【請求項５】
前記パケット交換型コネクション上で前記無線通信装置(12)が受信したパケット化音声データを音声データにトランスコードするステップが、
前記パケット交換型コネクション上で受信した前記パケット化音声データを復号化するステップと、
前記復号化されたパケット化音声データを、前記無線通信装置のユーザに聞こえるように提供されるアナログ信号に変換するステップと、
前記アナログ信号をサンプリングするステップと、
前記サンプルされたアナログ信号を再符号化して前記音声データを生成するステップとを有することを特徴とする請求項４記載の方法。
【請求項６】
前記無線通信装置(12)と前記第１および第２の遠隔話者との間でデータを共有するステップが、
前記無線通信装置(12)のマイクで生成された音声信号を、前記回線交換型コネクション上で送信するための音声データに符号化するステップと、
前記音声信号を、前記パケット交換型コネクション上で送信するためのパケット化音声データに符号化するステップと、
前記音声データを前記回線交換型コネクション上で前記第１の遠隔話者へ送信すると共に、前記パケット化音声データを前記パケット交換型コネクション上で前記第２の遠隔話者へ送信するステップとを有することを特徴とする請求項１記載の方法。
【請求項７】
前記無線通信装置(12)および前記第１および第２の遠隔話者との間で共有されているデータを、前記無線通信装置(12)のスピーカ(50)を通じて可聴音声として提供するステップをさらに有することを特徴とする請求項１記載の方法。
【請求項８】
前記無線通信装置と前記第１および第２の遠隔話者との間でデータを共有するステップが、
前記回線交換型コネクション上で前記無線通信装置(12)が受信した入方向の音声データを、出方向のパケット化音声データにトランスコードするステップと、
前記パケット交換型コネクション上で前記無線通信装置(12)が受信した入方向のパケット化音声データを出方向の音声データにトランスコードするステップと、
前記出方向の音声データを前記回線交換型コネクション上で前記第１の遠隔話者へ送信すると共に、前記出方向のパケット化音声データを前記パケット交換型コネクション上で前記第２の遠隔話者へ送信するステップとを有することを特徴とする請求項１記載の方法。
【請求項９】
前記無線通信装置(12)と前記第１および第２の遠隔話者との間でデータを共有するステップが、
前記出方向の音声データを、前記無線通信装置(12)のマイク(48)で生成される音声データと混合して混合パケット化音声データを生成するステップと、
前記パケット交換型コネクション上で送信するための前記混合パケット化音声データを符号化するステップと、
前記混合パケット化音声データを前記パケット交換型コネクション上で前記第２の遠隔話者へ送信するステップとをさらに有することを特徴とする請求項８記載の方法。
【請求項１０】
前記無線通信装置(12)と前記第１および第２の遠隔話者との間でデータを共有するステップが、
前記出方向のパケット化音声データを、前記無線通信装置(10)のマイク(48)で生成される音声データと混合して混合音声データを生成するステップと、
前記回線交換型コネクション上で送信するための前記混合音声データを符号化するステップと、
前記混合音声データを前記回線交換型コネクション上で前記第１の遠隔話者へ送信するステップとをさらに有することを特徴とする請求項８記載の方法。
【請求項１１】
無線通信装置(12)であって、
第１の遠隔話者と回線交換型コネクション上で通信し、同時にアクティブなパケット交換型コネクション上で第２の遠隔話者と通信するための送受信器(62,64)と、
会議通話の間、前記無線通信装置(12)と前記第１および第２の遠隔話者との間でデータを共有するためのコントローラ(36)とを有することを特徴とする無線通信装置。
【請求項１２】
前記会議通話の間、前記無線通信装置(12)と前記第１および第２の遠隔話者との間で共有される前記データをトランスコードするための回路 (60)をさらに有することを特徴とする請求項１１記載の装置。
【請求項１３】
前記回路(60)が、前記回線交換型コネクション上で受信した音声データを、前記パケット交換型コネクション上で送信するためのパケット化音声データにトランスコードすることを特徴とする請求項１２記載の装置。
【請求項１４】
前記回路が、
前記回線交換型コネクション上で受信した前記音声データを復号化するデコーダ(66)と、
前記復号化された音声データを、前記無線通信装置(12)のユーザに可聴音声として提供するためのアナログ信号に変換するディジタルアナログコンバータ(70)と、
前記アナログ信号をサンプリングするためのサンプリング回路(82)と、
前記サンプルされたアナログ信号を再符号化して前記パケット化音声データを生成するエンコーダ(68)とを有することを特徴とする請求項１３記載の装置。
【請求項１５】
前記回路(60)が、前記パケット交換型コネクション上で受信したパケット化音声データを、前記回線交換型コネクション上で送信するための音声データにトランスコードすることを特徴とする請求項１２記載の装置。
【請求項１６】
前記回路が、
前記パケット交換型コネクション上で受信した前記パケット化音声データを復号化するデコーダ(68)と、
前記復号化されたパケット交換音声データを、前記無線通信装置(12)のユーザに可聴音声として提供するためのアナログ信号に変換するディジタルアナログコンバータ(70, 71)と、
前記アナログ信号をサンプリングするためのサンプリング回路(82)と、
前記サンプルされたアナログ信号を符号化して前記音声データを生成するエンコーダ(66)とを有することを特徴とする請求項１５記載の装置。
【請求項１７】
前記無線通信装置(12)において検出された可聴音声から音声信号を生成するマイク(48)をさらに有することを特徴とする請求項１１記載の装置。
【請求項１８】
前記音声信号を、前記回線交換型コネクション上で送信するための出方向音声データに符号化するとともに、前記音声信号を前記パケット交換型コネクション上で送信するための出方向パケット化音声データに符号化するためのエンコーダ(66,68)と、
前記出方向の音声データを前記回線交換型コネクション上で前記第１の遠隔話者へ送信すると共に、前記出方向のパケット化音声データを前記パケット交換型コネクション上で前記第２の遠隔話者へ送信する送受信器(62,64)とをさらに有することを特徴とする請求項１６記載の装置。
【請求項１９】
前記回線交換型コネクション上で受信した入方向音声データを前記音声信号と混合し、合成音声信号を生成する混合回路(78,84)をさらに有し、前記エンコーダ(68)が、前記合成音声信号を前記パケット交換型コネクション上で送信するための前記出方向パケット化音声データに符号化することを特徴とする請求項１８記載の装置。
【請求項２０】
前記パケット交換型コネクション上で受信したパケット化音声データを前記音声信号と混合し、合成音声信号を生成する混合回路(78,84)をさらに有し、前記エンコーダ(66)が、前記合成音声信号を前記回線交換型コネクション上で送信するための前記出方向音声データに符号化することを特徴とする請求項１８記載の装置。
【請求項２１】
さらに、前記無線通信装置(10)および前記第１および第２の遠隔話者との間で共有されている前記データを、前記会議通話の間、前記無線通信装置(12)のユーザに可聴音声として提供するスピーカ(50)を有することを特徴とする請求項１１記載の装置。
【請求項２２】
無線通信装置(12)であって、
マイク(48)と、
スピーカ(50)と、
第１の遠隔話者と第１のコネクション上で通信し、同時にアクティブな第２のコネクション上で第２の遠隔話者と通信するための送受信器(62,64)と、
会議通話の間、前記無線通信装置(12)と前記第１および第２の遠隔話者との間でデータを共有するためのコントローラ(36)とを有することを特徴とする無線通信装置。
【請求項２３】
前記第１および第２のコネクションが、回線交換型コネクションおよびパケット交換型コネクションからなるグループから選択されるコネクションであることを特徴とする請求項２２記載の無線通信装置。
【請求項２４】
前記第１のコネクション上で受信した前記データを、第１のコーデックに基づいて、前記第２のコネクション上で送信するためのデータにトランスコードし、
前記第２のコネクション上で受信した前記データを、第２のコーデックに基づいて、前記第１のコネクション上で送信するためのデータにトランスコードし、
前記無線通信装置(12)から発信される前記データを、前記第１および第２のコーデックに基づいて、前記第１および第２のコネクション上で送信するためのデータにトランスコードする、
ように構成された回路(60)をさらに有することを特徴とする請求項２２記載の無線通信装置。
【請求項２５】
前記第１および第２のコーデックが異なることを特徴とする請求項２４記載の無線通信装置。
【請求項２６】
前記第１のコネクション上で送信するための前記トランスコードされたデータを、前記無線通信装置(12)から発信される前記トランスコードされたデータと混合し、
前記第２のコネクション上で送信するための前記トランスコードされたデータを、前記無線通信装置(12)から発信される前記トランスコードされたデータと混合する、
ための混合回路(78,84)をさらに有することを特徴とする請求項２４記載の無線通信装置。
【発明の詳細な説明】
【技術分野】
【０００１】
本発明は概して無線通信装置に関し、特には回線交換型コネクションとパケット交換型コネクションとを同時に維持可能なモードで動作する無線通信装置に関する。
【背景技術】
【０００２】
無線通信装置の一部は、デュアルトランスファモード(DTM)で動作する能力を備えている。ＤＴＭは２Ｇネットワークに対して規定された３ＧＰＰ(Third Generation Partnership Project)機能であり、無線通信装置が回線交換型コネクションをパケット交換型コネクションと同時に有することを可能にするものである。”デュアルＲＡＢ”又は”マルチＲＡＢ”と呼ばれる類似技術は、３Ｇネットワークにおいて無線通信装置が回線交換型コネクションをパケット交換型コネクションと同時に有することを可能にする。この技術の典型的な適用は、ユーザが通話をしながらインターネット上のホームページ閲覧または電子メールの送受信することを可能にする。この並列サービス能力の存在および、ネットワークがそのような動作をサポートできることへの要求からすると、回線交換型コネクションとパケット交換型コネクションとを同時に維持するモードで動作可能な無線通信装置はユーザに人気がある。
【０００３】
会議通話を行う能力のような他のサービスもまたよく知られている。会議通話は発呼者を複数の被呼者に接続する。複数の被呼者は通話中話すことが許されてもよいし、単に会話を聞くことだけを許されてもよい。会議通話は例えば、既存の呼の一方の話者が、新規参入者を呼に加えるため、新規参加者の電話番号を発呼することにより、または新規ボイスオーバＩＰ(VoIP)参加者のＩＰアドレスを指定することによって確立されてよい。別のケースでは、会議通話のためにネットワークで特別に設定された会議ブリッジに複数の新規参加者が発呼すると、それら新規参加者が追加される。
【０００４】
従来、そのような呼をサポートするための設備は、回線交換型ネットワークのようなネットワーク内に置かれている。そのため、その会議通話の参加者は全員、その同じネットワークへのコネクションを有することになる。
【発明の開示】
【０００５】
本発明は回線交換型コネクションとパケット交換型コネクションとを同時に維持可能なモードで動作可能な無線通信装置に関する。無線通信は、異なる符号化プロトコルを用いる異なるネットワークに接続された２つ又はそれより多い遠隔話者が係わる会議通話に対するハブとして機能するように設定される。一実施形態において、ユーザは第１の遠隔話者と回線交換型コネクションで通信し、同時にアクティブなパケット交換型コネクションにより第２の遠隔話者と通信する。
【０００６】
無線通信装置はコントローラと送受信器とを備える。送受信器は会議通話の間、第１及び第２の遠隔話者との間でデータを送信及び／又は受信する。第１及び第２の遠隔話者は、無線通信装置を通じて互いに通信可能に接続される。コントローラは会議通話の間に無線通信装置によって送信及び受信されるデータを、第１及び第２の遠隔話者と共有する。
【発明を実施するための最良の形態】
【０００７】
本発明の一実施形態において、回線交換型コネクションとパケット交換型コネクションとを同時に維持可能なモードで動作する無線通信装置は、無線通信装置のユーザと、複数の遠隔話者との間で会議通話を提供するためのブリッジ又はハブとして機能する。複数の遠隔話者は、無線通信装置のユーザと、異なる複数のネットワークを通じて通信し、異なる複数のネットワークの各々は、送信されるデータの符号化プロトコルが異なっていてもよい。無線通信装置は、複数の遠隔話者にデータを伝える前に、異なるデータ符号化プロトコル間のトランスコードを行う。
【０００８】
図１は、全体が数字１０で示される例示的な通信ネットワークを示す。ネットワーク１０は、回線交換型コネクションとパケット交換型コネクションとを同時に維持可能なモードで動作する無線通信装置１０のユーザと、１つ又はそれより多い遠隔話者１４，１６，１８との間における会議通話に好適に用いられるシステムの一例である。ネットワークの各構成要素及びそれらの相互動作については、既に十分に文書化されており、本技術分野に携わるものに理解されている。そのため、本明細書においては、それらの機能及び相互動作については、文脈と関連した簡単な説明しか行わない。
【０００９】
ネットワーク１０は無線アクセスネットワーク(RAN)２０、回線交換型コアネットワーク(CS-CN)２２および、パケット交換型コアネットワーク(PS-CN)２４を含む。ＲＡＮ２０はエアインタフェースを通じた無線通信装置１２との通信をサポートする。ＲＡＮ２０は例えば、UMTS RAN(UTRAN)、cdma2000、GSM又は他の無線アクセスネットワークを備えてよい。
【００１０】
ＣＳ−ＣＮ２２は音声サービス、ファックスサービスまたは他のデータサービスのような回線交換型サービスのために、公衆交換電話網(PSTN)２６及び／又は統合ディジタルサービスネットワーク(ISDN)とのコネクションを提供する。家庭内電話機のような固定電話装置を用いる遠隔話者１６は、例えばＰＳＴＮ２６を介してＣＳ−ＣＮ２２および無線通信装置１２と接続されてよい。ＣＳ−ＣＮ２２はまた、無線装置を用いる１又はそれより多いさらなる遠隔話者を接続するために、さらなる１つ又は複数のＲＡＮ２８と接続してもよい。いくつかの実施形態において、ＣＳ−ＣＮ２２は周知の方法を用いてＰＳ−ＣＮ２４と相互接続する。
【００１１】
ＰＳ−ＣＮ２４は、無線通信装置１２に、インターネット又は他のパケットデータネットワーク(PDN)のようなＩＰネットワーク３０へのアクセスを提供する。典型的には、無線通信装置１２はＲＡＮ２０又は他のアクセスポイントを介してＰＳ−ＣＮ２４にアクセスする。しかし、後述するように、無線通信装置１２は別のアクセスポイントを介してＩＰネットワーク３０にアクセスしてもよい。パーソナルコンピュータ又は他の無線装置のようなコンピュータ装置を用いる遠隔話者１８は、例えば、ＩＰネットワーク３０を介してＰＳ−ＣＮ２４および無線通信装置１２と接続してよい。
【００１２】
本技術分野における当業者は理解するであろうが、ＣＳ−ＣＮ２２およびＰＳ−ＣＮ２４は、それらの各々が、異なるプロトコルに従って符号化及び復号化されるデータを搬送してよいという意味において本質的に異なっている。その一因は、異なるネットワークは通常、データ品質に影響を与える要因の異なる組み合わせについて対処していることであってよい。本質的に異なることの理由はどうであれ、各ネットワークで用いられるプロトコルは特定のネットワークに固有の要因に対処するために選択されてよく、互換性がなくてもよい。これは、例えば、異なるネットワークに接続される複数の話者が会議通話で通信したい場合に問題を提起しうる。
【００１３】
図２は、そのような状況に対処するように構成された無線通信装置１２の一実施形態を示す。本明細書において”無線通信装置”という用語は、広範な装置タイプ又はその組み合わせを暗示するものとして用いられていることを理解されたい。例えば、図示されている無線通信装置１２はセルラ無線電話機、携帯情報端末(PDA)、パームトップ又はラップトップコンピュータ（またはコンピュータに含まれる通信モジュール）、衛星電話機、又は他のタイプの無線通信装置を備えてよい。また、無線通信装置１２の詳細な構成および内蔵される具体的な回路構成は、意図する用途によって変化しうることを理解されたい。
【００１４】
図２に示すように、図示された無線通信装置１２は、デュアルトランスファモード(DTM)で動作可能な装置を備える。上述したように、”ＤＴＭモード”という用語は、無線通信装置が同時にアクティブな回線交換型コネクションおよびパケット交換型コネクションを通じた通信に携わるモードを暗示するものである。これは、２ＧネットワークにおけるＤＴＭモードで動作している無線通信装置だけでなく、３Ｇネットワークにおける”デュアルＲＡＢ”または”マルチＲＡＢ”モードで動作する無線通信装置を含むが、それに限定されるものではない。
【００１５】
図２において、無線通信装置１２は、遠隔話者１４および／又は１６への回線交換型コネクションと、遠隔話者１８への、同時にアクティブなパケット交換型コネクションとを有してよい。以下により詳細に説明するように、無線通信装置１２は、無線通信装置１２のユーザおよび遠隔話者１４、１６、１８の１または全てによって送信および／又は受信されたデータを共有する。これらのリンクがどのようにして確立されるのかはよく知られた事項であるので、ここでは詳細な説明を行わない。
【００１６】
無線通信装置１２はユーザインタフェース(UI)３２、音声処理回路３４、システムコントローラ３６、ベースバンド制御回路３８、受信器４０、送信器４２、スイッチ／デュプレクサ４４および、受信／送信アンテナ４６を備える。ＵＩ３２はマイク４８、スピーカ５０、ディスプレイ５２および、１つ又はそれより多いユーザ入力デバイス５４を含む。マイク４８は、ユーザの会話を電気的な音声信号に変換し、スピーカ５０は音声信号をユーザが聞くことのできる可聴信号に変換する。音声処理回路３４は基本的なアナログ出力信号をスピーカ５０へ供給するとともに、マイク４８からのアナログ音声入力を受け付ける。ディスプレイ５２はユーザが情報を閲覧することを可能にする。ユーザ入力デバイス５４はユーザ入力を受信する。
【００１７】
アンテナ４６は、無線通信装置１２が回線交換型コネクションとパケット交換型コネクションを通じて入来する送信を受信することを可能にする。アンテナ４６はさらに、無線通信装置１２が回線交換型コネクションとパケット交換型コネクションを通じて信号を出方向へ送信することを可能にする。スイッチ／デュプレクサ４４は、受信器４０又は送信器４２をアンテナ４６に適宜接続する。受信器４０および送信器４２は別の構成要素として図示しているが、これは便宜上のものであることを理解されたい。いくつかの実施形態では、受信器４０および送信器４２回路を本明細書で送受信器と呼ぶ１つの構成要素に統合してもよい。
【００１８】
通常、受信信号はチャネライゼーション復調および復号化のため、受信器４０からベースバンド制御回路３８に受け渡される。ベースバンド制御回路３８はさらに、送信および受信される信号について音声符号化／復号化を実施してもよい。無線通信装置１２の動作を制御するシステムコントローラ３６は、復号化された信号を受信し、あるいはベースバンド制御回路３８を制御して、復号化された信号をさらに処理するために音声処理回路３４へ送信する。音声処理回路３４は、ディジタル信号の信号形式を有する復号化データを、スピーカ５０で可聴音として表すためのアナログ信号へ変換する。
【００１９】
一実施形態において、ベースバンド制御回路３８は、回線交換型コネクションを通じて受信した音声データを適合マルチレート(AMR)法を用いて復号化する。ＡＭＲはいくつかのネットワークにおいて音声データを符号化するために用いられている音声圧縮法である。ＡＭＲはネットワーク上で送信されている音声データの品質および耐性を最適化するために様々な技術を用いる。ＡＭＲは３ＧＰＰ仕様書”3GPP TS 26.071 v6.0.0”リリース６に規定されており、当該仕様書を引用することによりその全体を本明細書に組み入れる。
【００２０】
ベースバンド制御回路３８はさらに、パケット交換型コネクションを通じて受信した、パケット化された音声データをＧ．７１１圧縮法を用いて復号化してもよい。Ｇ．７１１は８０００回／秒のレートでサンプリングされた音声信号のサンプルを符号化し、６４kbit/秒のビットストリームを生成する。Ｇ．７１１はＩＴＯ仕様書、”音声周波数のパルス符号変調（ＰＣＭ）”に記載されており、当該仕様書を引用することによりその全体を本明細書に組み入れる。
【００２１】
送信される信号について、ベースバンド制御回路３８は、マイク４８で検出されたようなアナログ信号をディジタル信号に変換し、ネットワークに対して適切なプロトコル（例えばＡＭＲ，Ｇ．７１１）を用いてディジタル信号を符号化する。そして、ベースバンド制御回路３８は、本技術分野で知られているように、チャネライゼーション符号化および変調を行う。変調された信号は送信器４２へ送られ、意図された遠隔話者に応じて適切な回線交換型コネクション又はパケット交換型コネクション上で送信される。
【００２２】
上述の通り、無線通信装置１２は、遠隔話者１４、１６、１８の一部又は全部に対して会議通話サービスを提供するためにハブ又はブリッジとして機能してよい。遠隔話者１４、１６、１８は異なるコネクション（例えば回線交換型およびパケット交換型）を通じて接続されているので、異なるデータ符号化／復号化プロトコルを用いてデータを送信および受信する。無線通信装置１２は、データを遠隔話者１４、１６、１８と共有する前に、各コネクションに対する適切な形式にデータをトランスコードするように機能する。
【００２３】
例えば図３Ａは、回線交換型コネクションを通じて遠隔話者１４と送受信されるデータを、パケット交換型コネクション上の遠隔話者１８と共有するために用いられる回路６０の一実施形態を示している。無線通信装置１２は、遠隔話者１４、１８と、回線交換型コネクションおよびパケット交換型コネクションを、それら両方が同時にアクティブであるように確立していることを理解されたい。
【００２４】
図３Ａに示すように、回路６０はディジタルセルラ信号を遠隔話者１４と送受信可能なＣＳ送信／受信チェイン６２を備えている。ＣＳ送信／受信チェイン６２は受信器４０と、送信器４２と、ＣＳ−ＣＮ２２を介して送信および／受信される音声データを符号化／復号化するための音声コーデック６６とを備える。回路６０はさらに、パケットデータ信号を遠隔話者１８と送受信可能なＰＳ送信／受信チェイン６４を備えている。ＰＳ送信／受信チェイン６４もまた、受信器４０と、送信器４２と、ＰＳ−ＣＮ２４を介して送信および／受信される音声データを符号化／復号化するための音声コーデック６８とを備える。
【００２５】
２つの個別の送信／受信チェイン６２，６４を図示しているのは、単に説明を目的としてであることに留意されたい。本技術分野の当業者は、送信／受信チェイン６２、６４の物理的な配置が重要でないことを理解するであろう。送信／受信チェイン６２、６４は、ベースバンド制御回路３８に配置された受信器４０、送信器４２および、音声コーデック６６、６８を備える１つの送信／受信チェインを備えてもよい。コントローラ３６は、適切な音声コーデック６６、６８への送信および受信信号の流れを制御するための制御信号を生成してもよい。
【００２６】
図３Ａに示すように、受信器４０は、回線交換型コネクションを介して、遠隔話者１４からディジタルセルラ信号のような信号を受信する。受信器４０はさらに、パケット交換型コネクションを介して、遠隔話者１８からパケットデータ信号を受信する。コネクションに係わらず、受信器４０は通常、本技術分野で既知のようにチャネライゼーション復調および復号化を実行し、ディジタル信号を生成する。システムコントローラ３６は得られたディジタル信号を制御し、遠隔話者１４、１８によって送信されたデータをコネクションに対して適切なプロトコルに従って復号化する適切な音声コーデック６６、６８へ受け渡すことができる。一実施形態において、音声デコーダ６６は遠隔話者１４からの音声トラフィックをＡＭＲプロトコルに従って復号化し、遠隔話者１８から送信されたパケットデータトラフィックはＧ．７１１プロトコルを用いて復号化する。しかし、本技術分野に属する当業者は、他のプロトコルを使用可能であることを認識するであろう。依然としてディジタル形式である復号化音声信号は、ディジタルアナログコンバータ(DAC)７０を用いてアナログ信号に変換される。増幅器７２はスピーカ５０を駆動し、アナログ信号を、無線通信装置１２のユーザに対する可聴音声として出力する。
【００２７】
送信信号について、マイク４８はユーザの音声を検出し、アナログ信号に変換する。アナログディジタルコンバータ(ADC)７４は、それらの信号をディジタル信号に変換する。システムコントローラ３６は、ユーザの音声を回線交換型コネクションおよび／又はパケット交換型コネクションに対して適切なプロトコルに従って符号化するよう、音声コーデック６６、６８を制御する。送信器４２は適切なチャネライゼーション変調および符号化を実行し、回線交換型コネクションおよび／又はパケット交換型コネクション上で信号を遠隔話者１４、１８へ送信する。
【００２８】
さらに、システムコントローラ３６は、遠隔話者１４、１８への送信のために、復号化された音声信号を回線交換型およびパケット交換型プロトコルの間で再符号化するよう、回路６０を制御することもできる。これにより、遠隔話者１４、１８の各々が、無線通信装置１２と他の遠隔話者１４、１８との間で進行中の会話の”他のレグ”を、事実上リアルタイムに聞くことを可能にする。
【００２９】
本実施形態において、システムコントローラ３６は、ユーザが無線通信装置１２をＤＴＭモードで動作させている際にはスイッチ７６を閉じるように制御信号を生成する。閉じたスイッチ７６は音声コーデック６６と音声コーデック６８とを接続し、無線通信装置１２が回線交換型およびパケット交換型プロトコルの間で信号をディジタル形式のままトランスコードすることを可能にする。具体的には、音声コーデック６６が出力する音声復号化された信号は、パケット交換型コネクションを介して遠隔話者１８へ送信するため、音声コーデック６８によって再符号化される。同様に、音声コーデック６８が出力する音声復号化された信号は、回線交換型コネクションを介して遠隔話者１４へ送信するため、音声コーデック６６によって再符号化される。
【００３０】
図３Ｂは、遠隔話者１４、１８への送信に先立って、送信および受信信号をディジタル形式で混合して合成ディジタル信号を生成する、回路６０の別の実施形態を示している。受信すると直ちに、各遠隔話者１４、１８は会話の”他のレグ”を、合成音声として聞くことができる。具体的には、ＡＤＣ７４が出力するディジタル形式のユーザ音声と、音声エンコーダ６６の出力とが、ミクサ７９へ入力される。ミクサ７８は本技術分野で既知の任意のアルゴリズムを用いて２つのディジタル信号を混合し、合成信号を音声コーデック６８へ出力する。音声コーデック６８はパケット交換型コネクション上で送信するため、適切なパケット交換型プロトコルを用いて合成信号を符号化する。同様に、ミクサ７８は、音声コーデック６８の出力とユーザの音声とを混合し、合成信号を音声コーデック６６へ出力する。音声コーデック６６は、回線交換型コネクションを介して遠隔話者１４へ送信するため、適切な回線交換型プロトコルを用いて合成信号を符号化する。
【００３１】
同様に、ミクサ８０は音声コーデック６６、６８の両者の出力を合成し、ユーザに提供(render)するための合成ディジタル信号を形成する。図３Ｂに示すように、遠隔話者１４、１８の音声データを表す合成ディジタル信号は、ミクサ８０で混合され、ＤＡＣ７０へ出力される。ＤＡＣ７０はスピーカ５０を通じて可聴音声として提供するため、合成ディジタル信号をアナログ信号に変換する。
【００３２】
図４Ａは、会議通話の間、無線通信装置１２のユーザと遠隔話者１４、１８との間で共有するため、復号化された音声データを回路６０がアナログ形式でトランスコードする別の実施形態を示している。本実施形態において、音声処理回路３４は一組のＤＡＣ７０、７１を含んでいる。ＤＡＣ７０は回線交換型コネクション上で受信された、復号化された音声データを、ユーザに提供するためのアナログ信号に変換する。ＤＡＣ７１はパケット交換型コネクション上で受信された、復号化されたパケット化音声データを、ユーザに提供するためのアナログ信号に変換する。ミクサ７９は合成可聴信号をスピーカ５０で出力するため、ＤＡＣ７０、７１の出力を混合することができる。システムコントローラ３６はＤＡＣ７０、７１の出力を切り替えるスイッチ７７を制御することができる。サンプリング回路８２はそのアナログ信号を、本技術分野で既知の任意の手段を用いてサンプリングし、サンプル信号を生成することができる。そしてＡＤＣ７４はサンプル信号をディジタル信号に変換する。システムコントローラ３６は、ＡＤＣ７４の出力する信号を、回線交換型コネクションおよび／又はパケット交換型コネクションに対して適切なプロトコルに従って再符号化するよう、音声コーデック６６、６８を制御する。
【００３３】
図４Ｂは、ミクサ８４をさらに含む回路６０の別の実施形態を示す。ミクサ８４はユーザの音声をサンプラ８２の出力と混合し、合成アナログ信号を生成する。ＡＤＣ７４は合成アナログ信号をディジタル信号に変換し、変換された信号を音声コーデック６６、６８の１つ又は両方に出力する。上述の通り、音声コーデック６６、６８は、回線交換型コネクションおよび／又はパケット交換型コネクション上での送信のため、適切な回線交換型プロトコルおよび／又はパケット交換型プロトコルを用いて音声符号化を実行する。受信すると、遠隔話者１４、１８は、無線通信装置１２のユーザと他の遠隔話者１４または１８との間の会話を聞くため、自身の特定のコネクションについて適切な復号化手順を実行する。
【００３４】
無線通信装置１２は、図１に示したネットワーク１０内で動作することに限定されない。そのような実施形態において、無線通信装置１２は、ＲＡＮ２０を用い、１つのエアインタフェースを介して、遠隔話者１４、１６、１８と個々の回線交換型コネクションおよびパケット交換型コネクション上で通信する。しかし、別の実施形態において、無線通信装置１２は、複数のエアインタフェース上で回線交換型コネクションおよびパケット交換型コネクションを同時に確立ならびに維持するように構成されてもよい。たとえば図５は、無線通信装置１２がＣＳ−ＣＮ２２にＲＡＮ２０を介して接続し、ＰＳ−ＣＮ２４には（例えばＩＥＥＥ８０２．１１規格に従ったＷｉＦｉホットスポットを備えてよい）アクセスポイント９２を介して接続する、別のネットワーク９０を示している。無線通信装置１２は１つの送受信器４０，４２又は複数の送受信器４０、４２を用いてこれら複数のコネクションの各々を介した通信が可能である。さらに、本発明は、どのようなタイプのコーデックに従って動作するように構成されても良く、従って、本発明はここで説明した具体的なコーデックに限定されない。
【００３５】
ここまでの実施形態では、無線通信装置１２が回線交換型コネクションおよびパケット交換型コネクションを同時に維持するものとして説明した。しかし、他の実施形態において、無線通信装置１２は、例えば、２つのパケット交換型コネクションまたは２つの回線交換型コネクションといったように、２つのネットワークに対して同様のコネクションを複数維持することが可能なモードで動作してもよい。この実施形態において、複数の遠隔話者との会議通話の間、無線通信装置１２は上述したようにハブとして機能するであろう。
【００３６】
図面において、トランスコード回路６０を、無線通信装置１２内のいくつかの構成要素を横断して配置されるものとして示した。しかし、これは説明を目的とした便宜上のものであり、そのような構成に限定されるものと解釈すべきではない。例えば一実施形態において、回路６０はディジタルシグナルプロセッサ(DSP)のような１つの構成要素に含まれてもよい。同様に、音声コーデック６６、６８を別個の音声コーデックとして示した。しかし、それは必須でなく、１つの音声コーデックとして用い、コネクションの形式（例えば回線交換型およびパケット交換型）に適切な符号化／復号化手順を実行するよう、コントローラ３６によって制御することも可能である。
【００３７】
加えて、上述の実施形態では、本発明を会議通話中の音声トラフィック通信に関連して説明した。しかしながら、本発明はそのようには限定されない。無線通信装置１２は、遠隔話者１４、１６、１８と、マルチメディアデータ（例えば動画、静止画）のような他のタイプのデータを共有するようにも構成されてよい。
【００３８】
もちろん、本発明は、発明の本質的な特性の範囲内で、かつここで具体的に説明した方法以外の方法によって実施することが可能である。上述の実施形態はあらゆる点において例示として解釈されるべきであり、限定的なものと解釈すべきではない。また、添付の特許請求の範囲の意味及びその等価範囲に含まれるいかなる変更も、特許請求の範囲に包含されることが意図されている。
【図面の簡単な説明】
【００３９】
【図１】本発明の一実施形態とともに好適に用いられる通信システムの一例を示す図である。
【図２】本発明の一実施形態に従って動作するように構成された無線通信装置を示す機能ブロック図である。
【図３Ａ】本発明の実施形態を実行するための、無線通信装置内の回路を示す機能ブロック図である。
【図３Ｂ】本発明の実施形態を実行するための、無線通信装置内の回路を示す機能ブロック図である。
【図４Ａ】本発明の実施形態を実行するための、無線通信装置内の回路を示す機能ブロック図である。
【図４Ｂ】本発明の実施形態を実行するための、無線通信装置内の回路を示す機能ブロック図である。
【図５】本発明の一実施形態とともに好適に用いられる通信システムの別の例を示す図である。
【図１】
2009535894.tif 000003
【図２】
2009535894.tif 000004
【図３Ａ】
2009535894.tif 000005
【図３Ｂ】
2009535894.tif 000006
【図４Ａ】
2009535894.tif 000007
【図４Ｂ】
2009535894.tif 000008
【図５】
2009535894.tif 000009
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
無線通信装置(12)で会議通話を確立する方法であって、
デュアルトラスファモードで動作する無線通信装置(12)において、前記無線通信装置(12)と第１および第２の遠隔話者(14,16,18)との間で会議通話を確立するステップであり、前記無線通信装置(12)は前記第１の遠隔話者と回線交換型コネクション上で通信すると共に、前記第２の話者とパケット交換型コネクション上で通信するステップと、
前記無線通信装置(12)において、前記第１および第２の遠隔話者の少なくとも一方から、前記回線交換型コネクションおよび前記パケット交換型コネクションの対応する一方でデータを受信するステップと、
前記無線通信装置(12)において、前記受信したデータを、前記回線交換型コネクションおよびパケット交換型コネクションの他方に対応する形式にトランスコードするステップと、
前記無線通信装置(12)から、前記トランスコードされたデータを、前記第１および第２の遠隔話者の他方へ、対応する前記回線交換型コネクション又はパケット交換型コネクションで送信するステップとを有することを特徴とする方法。
【請求項２】
前記データを受信するステップが、前記第１の遠隔話者から前記回線交換型コネクション上で音声データを受信するステップを有し、
前記受信データをトランスコードするステップが、前記音声データをパケット化音声データにトランスコードするステップを有し、
前記トランスコードされたデータを送信するステップが、前記パケット化音声データを前記パケット交換型コネクション上で前記第２の遠隔話者へ送信するステップを有することを特徴とする請求項１記載の方法。
【請求項３】
前記回線交換型コネクション上で前記無線通信装置(12)が受信した音声データをパケット化音声データにトランスコードするステップが、
前記回線交換型コネクション上で受信した前記音声データを復号化するステップと、
前記復号化された音声データを、前記無線通信装置のユーザに聞こえるように提供されるアナログ信号に変換するステップと、
前記アナログ信号をサンプリングするステップと、
前記サンプルされたアナログ信号を再符号化して前記パケット化音声データを生成するステップとを有することを特徴とする請求項２記載の方法。
【請求項４】
前記データを受信するステップが、前記第２の遠隔話者から前記パケット交換型コネクション上でパケット化音声データを受信するステップを有し、
前記受信データをトランスコードするステップが、前記パケット化音声データを音声データにトランスコードするステップを有し、
前記トランスコードされたデータを送信するステップが、前記音声データを前記回線交換型コネクション上で前記第１の遠隔話者へ送信するステップを有することを特徴とする請求項１記載の方法。
【請求項５】
前記パケット交換型コネクション上で前記無線通信装置(12)が受信したパケット化音声データを音声データにトランスコードするステップが、
前記パケット交換型コネクション上で受信した前記パケット化音声データを復号化するステップと、
前記復号化されたパケット化音声データを、前記無線通信装置のユーザに聞こえるように提供されるアナログ信号に変換するステップと、
前記アナログ信号をサンプリングするステップと、
前記サンプルされたアナログ信号を再符号化して前記音声データを生成するステップとを有することを特徴とする請求項４記載の方法。
【請求項６】
前記無線通信装置(12)のマイクで生成された音声信号を、前記回線交換型コネクション上で送信するための音声データに符号化するステップと、
前記音声信号を、前記パケット交換型コネクション上で送信するためのパケット化音声データに符号化するステップと、
前記音声データを前記回線交換型コネクション上で前記第１の遠隔話者へ送信すると共に、前記パケット化音声データを前記パケット交換型コネクション上で前記第２の遠隔話者へ送信するステップとをさらに有することを特徴とする請求項１記載の方法。
【請求項７】
前記無線通信装置(12)で受信したデータを、前記無線通信装置(12)のスピーカ(50)を通じて可聴音声として提供するステップをさらに有することを特徴とする請求項１記載の方法。
【請求項８】
前記データを受信するステップが、前記第１の遠隔話者から前記回線交換型コネクション上で入方向の音声データを受信すると共に、前記第２の遠隔話者から前記パケット交換型コネクション上で入方向のパケット化音声データを受信するステップを有し、
前記受信データをトランスコードするステップが、前記入方向の音声データを出方向のパケット化音声データにトランスコードすると共に、前記入方向のパケット化音声データを出方向の音声データにトランスコードするステップを有し、
前記トランスコードされたデータを送信するステップが、前記出方向の音声データを前記回線交換型コネクション上で前記第１の遠隔話者へ送信すると共に、前記出方向のパケット化音声データを前記パケット交換型コネクション上で前記第２の遠隔話者へ送信するステップを有することを特徴とする請求項１記載の方法。
【請求項９】
前記出方向の音声データを、前記無線通信装置(12)のマイク(48)で生成される音声データと混合して混合パケット化音声データを生成するステップと、
前記パケット交換型コネクション上で送信するための前記混合パケット化音声データを符号化するステップと、
前記混合パケット化音声データを前記パケット交換型コネクション上で前記第２の遠隔話者へ送信するステップとをさらに有することを特徴とする請求項８記載の方法。
【請求項１０】
前記出方向のパケット化音声データを、前記無線通信装置(10)のマイク(48)で生成される音声データと混合して混合音声データを生成するステップと、
前記回線交換型コネクション上で送信するための前記混合音声データを符号化するステップと、
前記混合音声データを前記回線交換型コネクション上で前記第１の遠隔話者へ送信するステップとをさらに有することを特徴とする請求項８記載の方法。
【請求項１１】
無線通信装置(12)であって、
前記無線通信装置(12)と第１および第２の遠隔話者(14,16,18)との間で会議通話を確立するように構成されたコントローラ(36)であって、前記無線通信装置(12)は前記第１の遠隔話者と回線交換型コネクション上で通信すると共に、前記第２の話者とパケット交換型コネクション上で通信し、
前記第１の遠隔話者からは前記回線交換型コネクション上で、前記第２の遠隔話者からは前記パケット交換型コネクション上で、少なくとも前記第１および第２の遠隔話者の一方からデータを受信するように構成された送受信器(62,64)と、
前記受信したデータを、前記回線交換型コネクションおよびパケット交換型コネクションの他方に対応する形式にトランスコードするように構成された回路とを有し、
前記送受信器はさらに、前記トランスコードされたデータを、対応する前記回線交換型コネクション又はパケット交換型コネクション上で前記第１および第２の遠隔話者の他方へ送信するように構成されることを特徴とする無線通信装置。
【請求項１２】
前記回路(60)が、前記回線交換型コネクション上で受信した音声データを、前記パケット交換型コネクション上で送信するためのパケット化音声データにトランスコードすることを特徴とする請求項１１記載の装置。
【請求項１３】
前記回路が、
前記回線交換型コネクション上で受信した前記音声データを復号化するデコーダ(66)と、
前記復号化された音声データを、前記無線通信装置(12)のユーザに可聴音声として提供するためのアナログ信号に変換するディジタルアナログコンバータ(70)と、
前記アナログ信号をサンプリングするためのサンプリング回路(82)と、
前記サンプルされたアナログ信号を再符号化して前記パケット化音声データを生成するエンコーダ(68)とを有することを特徴とする請求項１２記載の装置。
【請求項１４】
前記回路(60)が、前記パケット交換型コネクション上で受信したパケット化音声データを、前記回線交換型コネクション上で送信するための音声データにトランスコードすることを特徴とする請求項１１記載の装置。
【請求項１５】
前記回路が、
前記パケット交換型コネクション上で受信した前記パケット化音声データを復号化するデコーダ(68)と、
前記復号化されたパケット交換音声データを、前記無線通信装置(12)のユーザに可聴音声として提供するためのアナログ信号に変換するディジタルアナログコンバータ(70, 71)と、
前記アナログ信号をサンプリングするためのサンプリング回路(82)と、
前記サンプルされたアナログ信号を符号化して前記音声データを生成するエンコーダ(66)とを有することを特徴とする請求項１４記載の装置。
【請求項１６】
前記無線通信装置(12)において検出された可聴音声から音声信号を生成するマイク(48)をさらに有することを特徴とする請求項１１記載の装置。
【請求項１７】
前記音声信号を、前記回線交換型コネクション上で送信するための出方向音声データに符号化するとともに、前記音声信号を前記パケット交換型コネクション上で送信するための出方向パケット化音声データに符号化するためのエンコーダ(66,68)と、
前記出方向の音声データを前記回線交換型コネクション上で前記第１の遠隔話者へ送信すると共に、前記出方向のパケット化音声データを前記パケット交換型コネクション上で前記第２の遠隔話者へ送信する送受信器(62,64)とをさらに有することを特徴とする請求項１５記載の装置。
【請求項１８】
前記回線交換型コネクション上で受信した入方向音声データを前記音声信号と混合し、合成音声信号を生成する混合回路(78,84)をさらに有し、前記エンコーダ(68)が、前記合成音声信号を前記パケット交換型コネクション上で送信するための前記出方向パケット化音声データに符号化することを特徴とする請求項１７記載の装置。
【請求項１９】
前記パケット交換型コネクション上で受信したパケット化音声データを前記音声信号と混合し、合成音声信号を生成する混合回路(78,84)をさらに有し、前記エンコーダ(66)が、前記合成音声信号を前記回線交換型コネクション上で送信するための前記出方向音声データに符号化することを特徴とする請求項１７記載の装置。
【請求項２０】
さらに、前記受信したデータを、前記会議通話の間、前記無線通信装置(12)のユーザに可聴音声として提供するスピーカ(50)を有することを特徴とする請求項１１記載の装置。
【請求項２１】
無線通信装置(12)であって、
マイク(48)と、
スピーカ(50)と、
前記無線通信装置(12)と第１および第２の遠隔話者(14,16,18)との間で会議通話を確立するように構成されたコントローラ(36)であって、前記無線通信装置(12)は前記第１の遠隔話者と第１のコネクション上で通信すると共に、前記第２の話者とは同時にアクティブな第２のコネクション上で通信し、
前記第１および第２の遠隔話者から、前記第１および第２のコネクション上でそれぞれデータを受信するように構成された送受信器(62,64)と、
回路(60)であって、
前記第１のコネクション上で受信した前記データを、第１のコーデックに基づいて、前記第２のコネクション上で送信するためのデータにトランスコードし、
前記第２のコネクション上で受信した前記データを、第２のコーデックに基づいて、前記第１のコネクション上で送信するためのデータにトランスコードする、
ように構成された回路(60)とを有し、
前記送受信器はさらに、前記トランスコードされたデータを、対応する前記第１または第２のコネクション上で前記第１および第２の遠隔話者へ送信するように構成されることを特徴とする無線通信装置。
【請求項２２】
前記第１および第２のコネクションが、回線交換型コネクションおよびパケット交換型コネクションからなるグループから選択されるコネクションであることを特徴とする請求項２１記載の無線通信装置。
【請求項２３】
前記回路(60)がさらに、前記無線通信装置(12)から発信される前記データを、前記第１および第２のコーデックに基づいて、前記第１および第２のコネクション上で送信するためのデータにトランスコードする、
ように構成されることを特徴とする請求項２１記載の無線通信装置。
【請求項２４】
前記第１および第２のコーデックが異なることを特徴とする請求項２３記載の無線通信装置。
【請求項２５】
前記第１のコネクション上で送信するための前記トランスコードされたデータを、前記無線通信装置(12)から発信される前記トランスコードされたデータと混合し、
前記第２のコネクション上で送信するための前記トランスコードされたデータを、前記無線通信装置(12)から発信される前記トランスコードされたデータと混合する、
ための混合回路(78,84)をさらに有することを特徴とする請求項２３記載の無線通信装置。
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
無線通信装置(12)で会議通話を確立する方法であって、
デュアルトラスファモードで動作する無線通信装置(12)において、前記無線通信装置(12)と第１および第２の遠隔話者(14,16,18)との間で会議通話を確立するステップであり、前記無線通信装置(12)は前記第１の遠隔話者と回線交換型コネクション上で通信すると共に、前記第２の話者とパケット交換型コネクション上で通信するステップと、
前記無線通信装置(12)において、前記第１および第２の遠隔話者の少なくとも一方から、前記回線交換型コネクションおよび前記パケット交換型コネクションの対応する一方でデータを受信するステップと、
前記無線通信装置(12)において、前記受信したデータを、前記回線交換型コネクションおよびパケット交換型コネクションの他方に対応する形式にトランスコードするステップと、
前記無線通信装置(12)から、前記トランスコードされたデータを、前記第１および第２の遠隔話者の他方へ、対応する前記回線交換型コネクション又はパケット交換型コネクションで送信するステップとを有することを特徴とする方法。
【請求項２】
前記データを受信するステップが、前記第１の遠隔話者から前記回線交換型コネクション上で音声データを受信するステップを有し、
前記受信データをトランスコードするステップが、前記音声データをパケット化音声データにトランスコードするステップを有し、
前記トランスコードされたデータを送信するステップが、前記パケット化音声データを前記パケット交換型コネクション上で前記第２の遠隔話者へ送信するステップを有し、
前記回線交換型コネクション上で前記無線通信装置(12)が受信した音声データをパケット化音声データにトランスコードするステップが、
前記回線交換型コネクション上で受信した前記音声データを復号化するステップと、
前記復号化された音声データを、前記無線通信装置のユーザに聞こえるように提供されるアナログ信号に変換するステップと、
前記アナログ信号をサンプリングするステップと、
前記サンプルされたアナログ信号を再符号化して前記パケット化音声データを生成するステップとを有することを特徴とする請求項１記載の方法。
【請求項３】
前記データを受信するステップが、前記第２の遠隔話者から前記パケット交換型コネクション上でパケット化音声データを受信するステップを有し、
前記受信データをトランスコードするステップが、前記パケット化音声データを音声データにトランスコードするステップを有し、
前記トランスコードされたデータを送信するステップが、前記音声データを前記回線交換型コネクション上で前記第１の遠隔話者へ送信するステップを有し、
前記パケット交換型コネクション上で前記無線通信装置(12)が受信したパケット化音声データを音声データにトランスコードするステップが、
前記パケット交換型コネクション上で受信した前記パケット化音声データを復号化するステップと、
前記復号化されたパケット化音声データを、前記無線通信装置のユーザに聞こえるように提供されるアナログ信号に変換するステップと、
前記アナログ信号をサンプリングするステップと、
前記サンプルされたアナログ信号を再符号化して前記音声データを生成するステップとを有することを特徴とする請求項１記載の方法。
【請求項４】
前記無線通信装置(12)のマイクで生成された音声信号を、前記回線交換型コネクション上で送信するための音声データに符号化するステップと、
前記音声信号を、前記パケット交換型コネクション上で送信するためのパケット化音声データに符号化するステップと、
前記音声データを前記回線交換型コネクション上で前記第１の遠隔話者へ送信すると共に、前記パケット化音声データを前記パケット交換型コネクション上で前記第２の遠隔話者へ送信するステップとをさらに有することを特徴とする請求項１記載の方法。
【請求項５】
前記データを受信するステップが、前記第１の遠隔話者から前記回線交換型コネクション上で入方向の音声データを受信すると共に、前記第２の遠隔話者から前記パケット交換型コネクション上で入方向のパケット化音声データを受信するステップを有し、
前記受信データをトランスコードするステップが、前記入方向の音声データを出方向のパケット化音声データにトランスコードすると共に、前記入方向のパケット化音声データを出方向の音声データにトランスコードするステップを有し、
前記トランスコードされたデータを送信するステップが、前記出方向の音声データを前記回線交換型コネクション上で前記第１の遠隔話者へ送信すると共に、前記出方向のパケット化音声データを前記パケット交換型コネクション上で前記第２の遠隔話者へ送信するステップと、
前記出方向の音声データを、前記無線通信装置(12)のマイク(48)で生成される音声データと混合して混合パケット化音声データを生成するステップと、
前記パケット交換型コネクション上で送信するための前記混合パケット化音声データを符号化するステップと、
前記混合パケット化音声データを前記パケット交換型コネクション上で前記第２の遠隔話者へ送信するステップと、
前記出方向のパケット化音声データを、前記無線通信装置(10)のマイク(48)で生成される音声データと混合して混合音声データを生成するステップと、
前記回線交換型コネクション上で送信するための前記混合音声データを符号化するステップと、
前記混合音声データを前記回線交換型コネクション上で前記第１の遠隔話者へ送信するステップとをさらに有することを特徴とする請求項１記載の方法。
【請求項６】
無線通信装置(12)であって、
前記無線通信装置(12)と第１および第２の遠隔話者(14,16,18)との間で会議通話を確立するように構成されたコントローラ(36)であって、前記無線通信装置(12)は前記第１の遠隔話者と回線交換型コネクション上で通信すると共に、前記第２の話者とパケット交換型コネクション上で通信し、
前記第１の遠隔話者からは前記回線交換型コネクション上で、前記第２の遠隔話者からは前記パケット交換型コネクション上で、少なくとも前記第１および第２の遠隔話者の一方からデータを受信するように構成された送受信器(62,64)と、
前記受信したデータを、前記回線交換型コネクションおよびパケット交換型コネクションの他方に対応する形式にトランスコードするように構成された回路とを有し、
前記送受信器はさらに、前記トランスコードされたデータを、対応する前記回線交換型コネクション又はパケット交換型コネクション上で前記第１および第２の遠隔話者の他方へ送信するように構成されることを特徴とする無線通信装置。
【請求項７】
前記回路(60)が、前記回線交換型コネクション上で受信した音声データを、前記パケット交換型コネクション上で送信するためのパケット化音声データにトランスコードし、
前記回路が、
前記回線交換型コネクション上で受信した前記音声データを復号化するデコーダ(66)と、
前記復号化された音声データを、前記無線通信装置(12)のユーザに可聴音声として提供するためのアナログ信号に変換するディジタルアナログコンバータ(70)と、
前記アナログ信号をサンプリングするためのサンプリング回路(82)と、
前記サンプルされたアナログ信号を再符号化して前記パケット化音声データを生成するエンコーダ(68)とを有することを特徴とする請求項６記載の装置。
【請求項８】
前記回路(60)が、前記パケット交換型コネクション上で受信したパケット化音声データを、前記回線交換型コネクション上で送信するための音声データにトランスコードし、
前記回路が、
前記パケット交換型コネクション上で受信した前記パケット化音声データを復号化するデコーダ(68)と、
前記復号化されたパケット交換音声データを、前記無線通信装置(12)のユーザに可聴音声として提供するためのアナログ信号に変換するディジタルアナログコンバータ(70, 71)と、
前記アナログ信号をサンプリングするためのサンプリング回路(82)と、
前記サンプルされたアナログ信号を符号化して前記音声データを生成するエンコーダ(66)とを有することを特徴とする請求項６記載の装置。
【請求項９】
前記音声信号を、前記回線交換型コネクション上で送信するための出方向音声データに符号化するとともに、前記音声信号を前記パケット交換型コネクション上で送信するための出方向パケット化音声データに符号化するためのエンコーダ(66,68)と、
前記出方向の音声データを前記回線交換型コネクション上で前記第１の遠隔話者へ送信すると共に、前記出方向のパケット化音声データを前記パケット交換型コネクション上で前記第２の遠隔話者へ送信する送受信器(62,64)と、
前記回線交換型コネクション上で受信した入方向音声データを前記音声信号と混合し、合成音声信号を生成する混合回路(78,84)をさらに有し、前記エンコーダ(68)が、前記合成音声信号を前記パケット交換型コネクション上で送信するための前記出方向パケット化音声データに符号化することを特徴とする請求項６記載の装置。
【請求項１０】
前記音声信号を、前記回線交換型コネクション上で送信するための出方向音声データに符号化するとともに、前記音声信号を前記パケット交換型コネクション上で送信するための出方向パケット化音声データに符号化するためのエンコーダ(66,68)と、
前記出方向の音声データを前記回線交換型コネクション上で前記第１の遠隔話者へ送信すると共に、前記出方向のパケット化音声データを前記パケット交換型コネクション上で前記第２の遠隔話者へ送信する送受信器(62,64)と、
前記パケット交換型コネクション上で受信したパケット化音声データを前記音声信号と混合し、合成音声信号を生成する混合回路(78,84)をさらに有し、前記エンコーダ(66)が、前記合成音声信号を前記回線交換型コネクション上で送信するための前記出方向音声データに符号化することを特徴とする請求項６記載の装置。
【手続補正２】
【補正対象書類名】明細書
【補正対象項目名】０００６
【補正方法】変更
【補正の内容】
【０００６】
無線通信装置はコントローラと送受信器とを備える。送受信器は会議通話の間、第１及び第２の遠隔話者との間でデータを送信及び／又は受信する。第１及び第２の遠隔話者は、無線通信装置を通じて互いに通信可能に接続される。コントローラは会議通話の間に無線通信装置によって送信及び受信されるデータを、第１及び第２の遠隔話者と共有する。
従って、本発明の一実施形態に係る、無線通信装置で会議通話を確立する例示的な方法は、デュアルトラスファモードで動作する無線通信装置と第１および第２の遠隔話者との間で会議通話を確立するステップであり、前記無線通信装置は前記第１の遠隔話者と回線交換型コネクション上で通信すると共に、前記第２の話者とパケット交換型コネクション上で通信するステップと、前記無線通信装置と前記第１および第２の遠隔話者との間でデータを共有するステップとを有する。
一実施形態において、前記無線通信装置と前記第１および第２の遠隔話者との間でデータを共有するステップは、前記回線交換型コネクション上で前記無線通信装置が受信した音声データをパケット化音声データにトランスコードするステップと、前記パケット化音声データを前記パケット交換型コネクション上で前記第２の遠隔話者へ送信するステップとを有する。
そのような場合、前記回線交換型コネクション上で前記無線通信装置が受信した音声データをパケット化音声データにトランスコードするステップは、前記回線交換型コネクション上で受信した前記音声データを復号化するステップと、前記復号化された音声データを、前記無線通信装置のユーザに聞こえるように提供されるアナログ信号に変換するステップと、前記アナログ信号をサンプリングするステップと、前記サンプルされたアナログ信号を再符号化して前記パケット化音声データを生成するステップとを有する。
別の実施形態において、前記無線通信装置と前記第１および第２の遠隔話者との間でデータを共有するステップは、前記パケット交換型コネクション上で前記無線通信装置が受信したパケット化音声データを音声データにトランスコードするステップと、前記音声データを前記回線交換型コネクション上で前記第１の遠隔話者へ送信するステップとを有する。
そのような場合、前記パケット交換型コネクション上で前記無線通信装置が受信したパケット化音声データを音声データにトランスコードするステップは、前記パケット交換型コネクション上で受信した前記パケット化音声データを復号化するステップと、前記復号化されたパケット化音声データを、前記無線通信装置のユーザに聞こえるように提供されるアナログ信号に変換するステップと、前記アナログ信号をサンプリングするステップと、前記サンプルされたアナログ信号を再符号化して前記音声データを生成するステップとを有する。
別の実施形態において、前記無線通信装置と前記第１および第２の遠隔話者との間でデータを共有するステップは、前記無線通信装置のマイクで生成された音声信号を、前記回線交換型コネクション上で送信するための音声データに符号化するステップと、前記音声信号を、前記パケット交換型コネクション上で送信するためのパケット化音声データに符号化するステップと、前記音声データを前記回線交換型コネクション上で前記第１の遠隔話者へ送信すると共に、前記パケット化音声データを前記パケット交換型コネクション上で前記第２の遠隔話者へ送信するステップとを有する。
一実施形態において、方法は、前記無線通信装置および前記第１および第２の遠隔話者との間で共有されているデータを、前記無線通信装置のスピーカを通じて可聴音声として提供するステップをさらに有する。
一実施形態において、前記無線通信装置と前記第１および第２の遠隔話者との間でデータを共有するステップは、前記回線交換型コネクション上で前記無線通信装置が受信した入方向の音声データを、出方向のパケット化音声データにトランスコードするステップと、前記パケット交換型コネクション上で前記無線通信装置が受信した入方向のパケット化音声データを出方向の音声データにトランスコードするステップと、前記出方向の音声データを前記回線交換型コネクション上で前記第１の遠隔話者へ送信すると共に、前記出方向のパケット化音声データを前記パケット交換型コネクション上で前記第２の遠隔話者へ送信するステップとを有する。
いくつかの実施形態において、前記無線通信装置と前記第１および第２の遠隔話者との間でデータを共有するステップは、前記出方向の音声データを、前記無線通信装置のマイクで生成される音声データと混合して混合パケット化音声データを生成するステップと、前記パケット交換型コネクション上で送信するための前記混合パケット化音声データを符号化するステップと、前記混合パケット化音声データを前記パケット交換型コネクション上で前記第２の遠隔話者へ送信するステップとをさらに有する。
しかし、別のいくつかの実施形態において、前記無線通信装置と前記第１および第２の遠隔話者との間でデータを共有するステップは、前記出方向のパケット化音声データを、前記無線通信装置のマイクで生成される音声データと混合して混合音声データを生成するステップと、前記回線交換型コネクション上で送信するための前記混合音声データを符号化するステップと、前記混合音声データを前記回線交換型コネクション上で前記第１の遠隔話者へ送信するステップとをさらに有する。
本発明の一実施形態に従って動作するように構成された、例示的な無線通信装置は、第１の遠隔話者と回線交換型コネクション上で通信し、同時にアクティブなパケット交換型コネクション上で第２の遠隔話者と通信するための送受信器と、会議通話の間、前記無線通信装置と前記第１および第２の遠隔話者との間でデータを共有するためのコントローラとを有する。
一実施形態において、装置は、前記会議通話の間、前記無線通信装置と前記第１および第２の遠隔話者との間で共有される前記データをトランスコードするための回路をさらに有する。
前記回路が、前記回線交換型コネクション上で受信した音声データを、前記パケット交換型コネクション上で送信するためのパケット化音声データにトランスコードする実施形態において、前記回路は、前記回線交換型コネクション上で受信した前記音声データを復号化するデコーダと、前記復号化された音声データを、前記無線通信装置のユーザに可聴音声として提供するためのアナログ信号に変換するディジタルアナログコンバータと、前記アナログ信号をサンプリングするためのサンプリング回路と、前記サンプルされたアナログ信号を再符号化して前記パケット化音声データを生成するエンコーダとを有する。
前記回路が、前記パケット交換型コネクション上で受信したパケット化音声データを、前記回線交換型コネクション上で送信するための音声データにトランスコードする実施形態において、前記回路は、前記パケット交換型コネクション上で受信した前記パケット化音声データを復号化するデコーダと、前記復号化されたパケット交換音声データを、前記無線通信装置のユーザに可聴音声として提供するためのアナログ信号に変換するディジタルアナログコンバータ(70, 71)と、前記アナログ信号をサンプリングするためのサンプリング回路と、前記サンプルされたアナログ信号を符号化して前記音声データを生成するエンコーダとを有する。
いくつかの実施形態において、装置は、前記無線通信装置において検出された可聴音声から音声信号を生成するマイクをさらに有する。
一実施形態において、装置は、前記音声信号を、前記回線交換型コネクション上で送信するための出方向音声データに符号化とともに、前記音声信号を前記パケット交換型コネクション上で送信するための出方向パケット化音声データに符号化するためのエンコーダをさらに有する。さらに、送受信器は、前記出方向の音声データを前記回線交換型コネクション上で前記第１の遠隔話者へ送信すると共に、前記出方向のパケット化音声データを前記パケット交換型コネクション上で前記第２の遠隔話者へ送信する。
一実施形態において、装置は、前記回線交換型コネクション上で受信した入方向音声データを前記音声信号と混合し、合成音声信号を生成する混合回路をさらに有する。さらに、前記エンコーダは、前記合成音声信号を前記パケット交換型コネクション上で送信するための前記出方向パケット化音声データに符号化する。
別の実施形態において、装置は、前記パケット交換型コネクション上で受信したパケット化音声データを前記音声信号と混合し、合成音声信号を生成する混合回路をさらに有する。そのような場合、前記エンコーダは、前記合成音声信号を前記回線交換型コネクション上で送信するための前記出方向音声データに符号化する。
一実施形態において、装置は、前記無線通信装置および前記第１および第２の遠隔話者との間で共有されている前記データを、前記会議通話の間、前記無線通信装置のユーザに可聴音声として提供するスピーカを含む。
別の実施形態において、本発明に従って構成された例示的な無線通信装置は、マイクと、スピーカと、第１の遠隔話者と第１のコネクション上で通信し、同時にアクティブな第２のコネクション上で第２の遠隔話者と通信するための送受信器と、会議通話の間、前記無線通信装置と前記第１および第２の遠隔話者との間でデータを共有するためのコントローラとを有する。
一実施形態において、前記第１および第２のコネクションの１つ又は両方は、回線交換型コネクションおよび／又はパケット交換型コネクションであってよい。
一実施形態において、装置は、前記第１のコネクション上で受信した前記データを、第１のコーデックに基づいて、前記第２のコネクション上で送信するためのデータにトランスコードし、前記第２のコネクション上で受信した前記データを、第２のコーデックに基づいて、前記第１のコネクション上で送信するためのデータにトランスコードし、前記無線通信装置から発信される前記データを、前記第１および第２のコーデックに基づいて、前記第１および第２のコネクション上で送信するためのデータにトランスコードする、ように構成された回路をさらに有する。
一実施形態において、前記第１および第２のコーデックは異なる。そのような場合、装置は、前記第１のコネクション上で送信するための前記トランスコードされたデータを、前記無線通信装置から発信される前記トランスコードされたデータと混合し、前記第２のコネクション上で送信するための前記トランスコードされたデータを、前記無線通信装置から発信される前記トランスコードされたデータと混合する、ための混合回路をさらに有する。
言うまでもなく、本技術分野に属する当業者は、本発明が上述した状況や例示に限定されないことを理解し、また、以下の詳細な説明を読み、添付図面を見ることによって、本発明のさらなる特徴及び長所を理解するであろう。
【国際調査報告】
2009535894.tif 000010
2009535894.tif 000011
2009535894.tif 000012